(57)【特許請求の範囲】
【請求項１】
吊下引き戸の下端部に当該引き戸の移動方向と同方向に移動可能に内装された移動体と、この移動体の前端に連設されて当該移動体の移動により引き戸の前端面に対し突出退入自在な振れ止めピンと、引き戸の前端面に対面する開口部枠に設けられ且つ突出位置にある前記振れ止めピンが嵌合する係止孔と、引き戸が閉じ限位置にあるときに当該引き戸の後端近傍に位置するように床面側に設けられた操作手段と、引き戸の閉動行程終端付近の当該引き戸の移動により前記操作手段と当接して正方向に駆動され且つ引き戸の開動行程始端付近の当該引き戸の移動により前記操作手段と当接して逆方向に駆動されるように引き戸の下端部後端近傍に設けられた被操作具と、この被操作具の正逆運動を前記移動体の前後進運動に変換する運動変換手段と、前記移動体の前進移動により前記振れ止めピンが突出した状態と後進移動により前記振れ止めピンが退入した状態とを択一的に保持する保持手段とを備えた吊下引き戸の振れ止め装置であって、
前記操作手段は床面上に突設された一つの突起体から成り、前記被操作具は引き戸に軸支された回転体から成り、前記運動変換手段は、前記回転体に同心状に連設されたピニオンギヤ部と、当該ピニオンギヤ部に咬合するように前記移動体に連設されたラックギヤ部とから成り、前記回転体は、引き戸の移動に伴って前記突起体が嵌入する凹部を備えている、吊下引き戸の振れ止め装置。
【請求項２】
前記保持手段は、引き戸側と移動体との内の一方に取り付けられた磁石と、他方に取り付けられた磁性板とから成る、請求項１に記載の吊下引き戸の振れ止め装置。
【請求項３】
前記移動体の前端には、当該移動体の移動方向と平行に螺軸が突設され、この螺軸に前記振れ止めピンが螺嵌し、当該振れ止めピンの先端に回転操作部が形成されている、請求項１または２に記載の吊下引き戸の振れ止め装置。
【請求項４】
前記引き戸の下端部には、当該引き戸の移動方向の略全長にわたる長さの隙間閉塞体が昇降可能に内装され、当該隙間閉塞体の長さ方向複数箇所が前記移動体に可撓性吊り具と、当該吊り具の転向用ガイドとを介して吊り下げられ、前記移動体の前進移動により隙間閉塞体が下降して床面に当接するようにした、請求項１〜３の何れか１項に記載の吊下引き戸の振れ止め装置。
【発明の詳細な説明】
【０００１】
【発明の属する技術分野】
本発明は、上部のみがガイドレールに移動可能に吊り下げられた引き戸の振れ止め装置に関するものである。
【０００２】
【従来の技術及びその問題点】
前記のように上部のみがガイドレールに移動可能に吊り下げられた引き戸は、閉じた状態のとき、その前端下部がフリーな状態にあるので、当該引き戸で開閉される開口部の出入り方向に揺動可能な不安定な状態となる。このような不都合を解消するために、引き戸を閉じたときに当該引き戸の前端下部を何らかの手段で係止する振れ止め装置が必要になる。この振れ止め装置は、前記のような吊下引き戸の使用目的や当該開口部の通行者の安全確保に照らして、前記開口部の床面上や開口部枠に突起物を突設する必要がないものや、床面に溝などを設ける必要がないものが望まれる。
【０００３】
そこで、引き戸が閉じ位置に達したときに磁気吸着力により引き戸側から、または開口部枠や床面側から自動的に突出して相手側の係止孔に係合する振れ止めピンを利用する振れ止め装置が考えられたが、このような磁気吸着力を利用する方法では、振れ止めピンを確実強力に突出させることが困難であるばかりでなく、塵埃や錆などによって可動部に動作不良が生じやすいという問題点があった。
【０００４】
【課題を解決するための手段】
本発明は上記のような従来の問題点を解消し得る吊下引き戸の振れ止め装置を提供することを目的とするものであって、その手段を後述する実施形態の参照符号を付して示すと、吊下引き戸１の下端部に当該引き戸１の移動方向と同方向に移動可能に内装された移動体６と、この移動体６の前端に連設されて当該移動体６の移動により引き戸１の前端面１ａに対し突出退入自在な振れ止めピン７と、引き戸１の前端面１ａに対面する開口部枠１１に設けられ且つ突出位置にある前記振れ止めピン７が嵌合する係止孔１０と、引き戸１が閉じ限位置にあるときに当該引き戸１の後端近傍に位置するように床面側に設けられた操作手段１３と、引き戸１の閉動行程終端付近の当該引き戸１の移動により前記操作手段１３と当接して正方向に駆動され且つ引き戸１の開動行程始端付近の当該引き戸１の移動により前記操作手段１３と当接して逆方向に駆動されるように引き戸１の下端部後端近傍に設けられた被操作具２０と、この被操作具２０の正逆運動を前記移動体６の前後進運動に変換する運動変換手段２１と、前記移動体６の前進移動により前記振れ止めピン７が突出した状態と後進移動により前記振れ止めピン７が退入した状態とを択一的に保持する保持手段２７とを備えた吊下引き戸の振れ止め装置であって、前記操作手段１３は床面１４上に突設された一つの突起体１９から成り、前記被操作具２０は引き戸１に軸支された回転体２３から成り、前記運動変換手段２１は、前記回転体２３に同心状に連設されたピニオンギヤ部２５と、当該ピニオンギヤ部２５に咬合するように前記移動体６に連設されたラックギヤ部２６とから成り、前記回転体２３は、引き戸１の移動に伴って前記突起体１９が嵌入する凹部２４を備えた構成となっている。
【０００５】
上記構成の本発明装置では、引き戸１の閉動行程終端付近の移動に伴って、前記回転体２３の凹部２４に嵌入した前記突起体１９により当該回転体２３が正方向に回転駆動され、この結果、前記移動体６が前進移動し、引き戸１の開動行程始端付近の移動に伴って、前記回転体２３の凹部２４から相対的に離脱する前記突起体１９により当該回転体２３が逆方向に回転駆動され、この結果、前記移動体６が後退移動することになる。
【０００６】
また、前記保持手段２７は、引き戸１側と移動体６との内の一方に取り付けられた磁石２９ａ，２９ｂと、他方に取り付けられた磁性板３０ａ，３０ｂとから構成することができる。さらに、前記移動体６の前端には、当該移動体６の移動方向と平行に螺軸９を突設し、この螺軸９に前記振れ止めピン７を螺嵌させ、当該振れ止めピン７の先端に形成された回転操作部（溝７ａ）を利用して当該振れ止めピン７を回転操作することにより、当該振れ止めピン７を前記移動体６に対し前後方向に位置調整できるように構成することができる。
【０００７】
また、前記引き戸１の下端部に、当該引き戸１の移動方向の略全長にわたる長さの隙間閉塞体３１を昇降可能に内装し、当該隙間閉塞体３１の長さ方向複数箇所を前記移動体６に可撓性吊り具３２と、当該吊り具３２の転向用ガイド３３とを介して吊り下げ、前記移動体６の前進移動により隙間閉塞体３１が下降して床面１４に当接し、閉じた引き戸１の下端と床面１４との間の隙間を自動的に閉じさせるように構成することも可能である。
【０００８】
【発明の実施の形態】
以下に本発明の好適実施形態を添付図に基づいて説明すると、図１〜図３において、１は吊下引き戸であって、上部を吊下用ガイドレール（図示省略）によって移動可能に吊り下げられ、開口部２を開閉する。３は引き戸１の下端部に内装された縦断面門形のケーシングであって、当該引き戸１の下端に移動方向全長にわたって形成された切り欠き溝に、引き戸１の下端面とケーシング３の下端とが同一レベルとなるように内嵌され、長さ方向両端には、引き戸１の前後両端面１ａ，１ｂに木ねじなどにより固着される取り付け用カバープレート４，５を備えている。
【０００９】
６は帯状金属板などから成る移動体であって、前記ケーシング３内の上部に引き戸１の移動方向と同方向に移動可能に内装されている。７は振れ止めピンであって、その先端部は、図４に示すように、前記ケーシング１の前端側の取り付け用カバープレート４に設けられたガイド部８に、前記移動体６の移動により引き戸１の前端面１ａに対し突出退入自在に嵌合支持され、その後端部は、前記移動体６の前端から当該移動体６の移動方向と平行に突設された螺軸９に螺嵌し、先端には、図２Ａに示すようにドライバーなどで回転操作するための溝（回転操作部）７ａが形成されている。
【００１０】
１０は、引き戸の前端面１ａに対面する開口部枠１１に設けられ且つ当該引き戸１の前端面１ａから突出する前記振れ止めピン７の先端部が嵌合し得る係止孔であって、前記開口部枠１１に埋設された成形部品１２により形成されている。
【００１１】
１３は、引き戸１が閉じ限位置にあるときに当該引き戸１の後端近傍に位置するように床面１４側に設けられた操作手段であって、図２Ｃ及び図６に示すように、床面１４に固定された取り付け板部１５と、この取り付け板部１５から上向きに折曲連設された垂直板部１６と、この垂直板部１６に昇降可能に外嵌し且つ垂直板部１６に設けられた長孔１７とこの長孔１７を水平横向きに貫通するビスナット１８により高さ調整自在に固定される突起体１９とから構成され、当該突起体１９は、前記引き戸１のケーシング３内に遊嵌するもので、上端部は側面視において山形状に形成されている。
【００１２】
２０は被操作具であって、引き戸１の閉動行程終端付近の当該引き戸１の移動により前記操作手段１３の本体１９と当接して正方向に駆動され且つ引き戸１の開動行程始端付近の当該引き戸１の移動により前記操作手段１３の本体１９と当接して逆方向に駆動されるように引き戸１の下端部後端近傍に設けられている。２１は、前記被操作具２０の正逆運動を前記移動体６の前後進運動に変換する運動変換手段である。
【００１３】
前記被操作具２０は、図２Ｃ及び図６に示すように、引き戸１のケーシング３内に左右水平支軸２２により軸支された回転体２３から構成され、当該回転体２３には、引き戸１の移動に伴って前記操作手段１３の突起体１９が嵌入する凹部２４が形成されている。そして前記運動変換手段２１は、前記回転体２３に同心状に形成されたピニオンギヤ部２５と、当該ピニオンギヤ部２５に咬合するように前記移動体６の下側に付設されたラックギヤ部２６とから構成されている。
【００１４】
２７は保持手段であって、前記移動体６の前進移動により前記振れ止めピン７が突出した状態と、前記移動体６の後進移動により前記振れ止めピン７が退入した状態とを択一的に保持するもので、図５にも示すように、引き戸１のケーシング３内に移動体６を支持するように固定された部材２８の前後両端に埋設固定された前後一対の磁石２９ａ，２９ｂと、当該部材２８の前後両側で移動体６の下側に取り付けられた前後一対の磁性板３０ａ，３０ｂとから構成されている。なお、磁石２９ａ，２９ｂを移動体６側に取り付け、磁性板３０ａ，３０ｂをケーシング３側（引き戸１側）に取り付けても良い。勿論、磁性板３０ａ，３０ｂに代えて、磁石２９ａ，２９ｂと互いに吸着し得る極性の磁石を使用することもできる。
【００１５】
引き戸１の前記ケーシング３内には、当該引き戸１の移動方向の略全長にわたる長さの隙間閉塞体３１が昇降可能に内装されている。この隙間閉塞体３１は、図２Ｂに示すように、断面形状が略門形の合成樹脂成形品であって、その垂下する両側壁部３１ａ，３１ｂは適度な弾性を有するように薄肉に成形され、下降により床面１４に弾性変形を伴って当接し得る。しかして、当該隙間閉塞体３１の長さ方向複数箇所が、その上側に位置する前記移動体６に、合成樹脂製の帯状可撓性吊り具３２により吊り下げられている。この帯状可撓性吊り具３２は、図５に示すように、両端の取り付け用厚肉部３２ａ，３２ｂにより移動体６の下側面と隙間閉塞体３１の上側壁部３１ｃとに固着され、それぞれケーシング３内に固定された転向用ガイド３３のガイド溝３３ａを経由して、移動体６の下側面に沿う水平向きから隙間閉塞体３１を吊り下げる垂直向きに転向されている。
【００１６】
以上の構成によれば、引き戸１が開口部２を閉じていないときは、図１に示すように移動体６は後退限位置にあって、図５に示すように、保持手段２７の前側磁石２９ａと移動体６の前側磁性板３０ａとの吸着により当該後退限位置に保持されている。このとき、図４に示すように、振れ止めピン７は引き戸１の前端面１ａから突出しない退入位置にあり、そして図６に示すように、被操作具２０の回転体２３は、図において時計方向に逆回転した状態にある。そして、隙間閉塞体３１は、可撓性吊り具３２を介して上昇限位置まで吊り上げられた状態にあって、図２Ｂに示すように、その下端と引き戸１の下端（ケーシング３の下端）とが略同一レベルにある。
【００１７】
図１及び図６は、引き戸１が閉動行程終端付近にある状態を示しているが、この閉動行程終端付近より手前の開閉行程中間位置にあるとき、あるいは開動行程終端にあるときは、図６に示す状態の被操作具２０の回転体２３と床面１４側の操作手段１３における突起体１９とは互いに離間しており、そして当該操作手段１３における突起体１９は、引き戸１側の隙間閉塞体３１の両側壁部３１ａ，３１ｂ間に遊嵌している。
【００１８】
引き戸１を閉動させると、図１及び図６に示すように、引き戸１が閉動行程終端付近に達したとき、引き戸１側の被操作具２０における回転体２３の凹部２４と床面１４側の操作手段１３における突起体１９とが互いに嵌合当接し、それ以降の引き戸１の閉動により、図６に示す回転体２３が突起体１９によって図の反時計方向に正回転駆動される。この回転体２３の正回転運動により、ピニオンギヤ部２５と移動体６側のラックギヤ部２６とを介して移動体６が、保持手段２７の磁石２９ａと磁性板３０ａとの吸着力に抗して前進駆動され、前端の振れ止めピン７が進出移動するとともに、各可撓性吊り具３２により吊り下げられている隙間閉塞体３１が下降することになる。
【００１９】
しかして、図７に示すように、引き戸１が閉動行程終端に達して、その前端面１ａが開口部枠１１に当接したとき、前記回転体２３は略９０度だけ正回転駆動され、移動体６は前進限位置に達して、保持手段２７の後側磁石２９ｂと移動体６の後側磁性板３０ｂとの吸着により当該前進限位置に保持される。この結果、前端の振れ止めピン７が突出限に達して開口部枠１１側の係止孔１０に嵌合し、引き戸１の前端部が左右横方向に振れることを阻止するとともに、隙間閉塞体３１は下降限に達して床面１４に当接し、当該引き戸１の下端と床面１４との間の隙間が隙間閉塞体３１により閉じられる。なお、引き戸１の後端部は、その下端のケーシング３内に床面１４側の操作手段１３の突起体１９が遊嵌していることにより、左右横方向の振れは防止されている。勿論、この床面１４側の操作手段１３は、引き戸１によって開閉される開口部２を構成する壁３５に隣接する位置に配設される。
【００２０】
図７に示すように閉動行程終端にある引き戸１を開動させたときは、その開動行程開始時の引き戸１の移動により、被操作具２０における回転体２３と当該回転体２３の凹部２４に嵌合している床面１４側の操作手段１３の突起体１９との相対移動に伴って、前記回転体２３が図の時計方向に逆回転駆動される。この回転体２３の逆回転運動により、ピニオンギヤ部２５と移動体６側のラックギヤ部２６とを介して移動体６が、保持手段２７の磁石２９ｂと磁性板３０ｂとの吸着力に抗して後進駆動され、前端の振れ止めピン７が後退移動するとともに、各可撓性吊り具３２により吊り下げられている隙間閉塞体３１が当該可撓性吊り具３２により吊り上げられる。そして、前記回転体２３が略９０度回転したとき、保持手段２７の磁石２９ａと磁性板３０ａとの吸着作用により移動体６が後退限位置に保持され、振れ止めピン７や隙間閉塞体３１が図１に示す待機状態に復帰する。この後の引き戸１の開動により、床面１４側の操作手段１３の突起体１９が前記回転体２３から離れて引き戸１のケーシング３内（隙間閉塞体３１内）を引き戸１の前端側へ相対移動することになる。
【００２１】
なお、操作手段１３の突起体１９は、被操作具２０の回転体２３の凹部２４と確実に嵌合して所定角度（略９０度）だけ当該回転体２３を正逆回転駆動できるように、引き戸１の下端と床面１４との間の隙間に応じて高さ調整することができる。また、移動体６の前進移動による振れ止めピン７の一度１の前端面１ａからの突出量は、当該振れ止めピン７を、その前端の溝７ａを利用して正逆回転操作して移動体６に対する前後方向位置を変えることにより、調整し得る。
【００２２】
【発明の効果】
以上のように本発明の吊下引き戸の振れ止め装置によれば、吊下引き戸が閉じられたとき、当該引き戸の前端面から振れ止めピンが自動的に突出して開口部枠側の係止孔に嵌合して、閉じ位置にある引き戸が左右横方向に振れるのを確実に阻止させることができる。しかも、当該引き戸を開動させると、前記振れ止めピンは自動的に退入するので、開いた引き戸の前端面から振れ止めピンが突出しているようなことはなく、勿論、開口部枠側から振れ止めピンが突出しているというようなこともないので、当該引き戸が開閉される開口部を通行する人などに危険を及ぼす恐れも皆無である。
【００２３】
さらに本発明の構成によれば、引き戸が閉じ限位置に達したときに磁気吸着力で振れ止めピンなどを作用位置に切り換えようとするものではなく、床面側の操作手段と引き戸側の被操作具及び運動変換手段とを介して引き戸側の移動体（振れ止めピン）を、当該引き戸の移動力で強制的に移動させるものであるから、振れ止めピンの突出退入動作が確実であり、長期間の使用によっても動作が不確実になる恐れがない。
【００２４】
また本発明の構成によれば、床面側の操作手段の構成が一つの突起体から成る極めて簡単なものとなり、しかも被操作具の回転体の回転運動をピニオンギヤ部とラックギヤ部とで移動体の前後移動に確実に変換して、所期の動作を確実に実行させることができる。
【００２５】
尚、前記移動体の前進移動により前記振れ止めピンが突出した状態と後進移動により前記振れ止めピンが退入した状態とを択一的に保持する保持手段も、上記実施形態のものに限定されないが、特に請求項２に記載の構成によれば、磁石と磁性板とを使用した、可動部分のない非常に簡単な構成で確実に所期の作用を行わせることができ、安価に実施することができる。また、請求項３に記載の構成によれば、引き戸が閉じられたときの振れ止めピンの突出量を任意且つ容易に調整することができる。
【００２６】
さらに、請求項４に記載の構成によれば、振れ止めピンを突出退入操作するための移動体の前後移動を利用して、閉じられた引き戸の下端と床面との間の隙間を閉じる隙間閉塞体をタイミング良く昇降駆動させることができる。換言すれば、振れ止めピンの出退駆動手段を隙間閉塞体の昇降駆動手段に利用させることができ、振れ止めピンと隙間閉塞体との両方を備えた引き戸装置を安価に実施することができるのである。
【図面の簡単な説明】
【図１】  引き戸が閉動行程終端付近にあるときの縦断側面図である。
【図２】  Ａ図は引き戸の前端下部の正面図、Ｂ図は引き戸の隙間閉塞体を示す位置での縦断面図、Ｃ図は床面側の操作手段と引き戸側の被操作具とを示す位置での縦断面図である。
【図３】  隙間閉塞体を取り外した状態を示す底面図であって、Ａ図はその前半部、Ｂ図はその後半部を示す。
【図４】  図１の引き戸前端部付近を示す拡大縦断側面図である。
【図５】  図１の引き戸中間部付近を示す拡大縦断側面図である。
【図６】  図１の引き戸後端部付近を示す拡大縦断側面図である。
【図７】  引き戸を閉じた状態での縦断側面図である。
【符号の説明】
１      吊下引き戸
２      開口部
３      ケーシング
６      移動体
７      振れ止めピン
９      螺軸
１０    係止孔
１１    開口部枠
１３    操作手段
１４    床面
１９    突起体
２０    被操作具
２１    運動変換手段
２３    回転体
２４    回転体の凹部
２５    ピニオンギヤ部
２６    ラックギヤ部
２７    保持手段
２９ａ  磁石
２９ｂ  磁石
３０ａ  磁性板
３０ｂ  磁性板
３１    隙間閉塞体
３２    可撓性吊下具
３３    可撓性吊下具の転向用ガイド
【図１】
0003950225.tif 000002
【図２】
0003950225.tif 000003
【図３】
0003950225.tif 000004
【図４】
0003950225.tif 000005
【図５】
0003950225.tif 000006
【図６】
0003950225.tif 000007
【図７】
0003950225.tif 000008